(57)【要約】  【課題】    製造時の用紙の無駄が無く、テーブル台とテーブルを確実に固定できる組立式フロアディスプレイ、及び、該組立式フロアディスプレイを形成するためのブランクシートを提供する  【解決手段】    筒状のテーブル台１０の上に商品等を乗せるためのテーブル３０を載置してなる組立式フロアディスプレイにおいて、テーブル台１０の左右側面に切り込みを設けることによって舌片１２を形成すると共に、テーブル３０の底面に切り込みを設けることによって一対のフラップ３２を形成する。更に各フラップ３２には切り込み線により係止片３６が形成される。組み立ての際、テーブル３０の底面のフラップ３２を下方に折曲してテーブル台１０の上部開口に内嵌し、テーブル台１０に設けられた舌片１２を台の内部に折り込んで前記係止片３６に嵌合させることによってテーブル３０とテーブル台１０を固定する。【選択図】  図３
2005066008.tif 000002
【特許請求の範囲】
【請求項１】
筒状のテーブル台の上に商品等を乗せるためのテーブルを載置してなる組立式フロアディスプレイにおいて、
a)テーブルの底面に切り込みを設けることにより形成される一対のフラップと、
b)該一対のフラップの所定の箇所に切り込みを設けることにより形成される係止片と、
c)テーブル台の対向する側面の所定箇所に切り込みを設けることにより形成される一対の舌片と、
を有し、該フラップを下方に折曲してテーブル台の上部開口に内嵌し、該舌片をテーブル台の内部に折り込んで前記係止片に嵌合させることによってテーブルとテーブル台を固定することを特徴とする組立式フロアディスプレイ。
【請求項２】
請求項１に記載の組立式フロアディスプレイに係るテーブル及びテーブル台を形成するために所定箇所に切り込みが設けられたブランクシート 。
【発明の詳細な説明】
【技術分野】
【０００１】
本発明は、店頭などで商品を載せて陳列する等の目的で使用する組立式フロアディスプレイ、及び、係る組立式フロアディスプレイを形成するためのブランクシートに関する。
【背景技術】
【０００２】
段ボールや厚紙等で形成され、店頭などに設置して商品の陳列及び販売等に用いられるフロアディスプレイとして、筒状のテーブル台の上に商品等を乗せるためのテーブルを載置したものがある。従来、このようなフロアディスプレイは、テーブル台からテーブルが落下することを防ぐため、図５に示すようにテーブル台５１の上辺を突出させることによりツメ５５を形成し、該ツメ５５をテーブル５３の底面に設けられた差し込み口５６に嵌挿し、折り込むことによってテーブル５３をテーブル台５１に固定していた。
【０００３】
しかし上記のような構造のフロアディスプレイでは、製造時に用紙からテーブル台を切り抜く際、テーブル台上部のツメの周辺部は切り取られて廃棄されるため、余分な用紙コストが掛かることに加え、廃棄部分の処理コストがかさむという問題があった。
【０００４】
また、上記構造のフロアディスプレイは、テーブルに商品等を載せない状態で移動させる場合、テーブル部分に手を掛けて持ち上げると、テーブル台の重みによってツメがテーブル底面の差し込み口から抜け、テーブル台が外れてしまうという問題があった。
【発明の開示】
【発明が解決しようとする課題】
【０００５】
本発明はこのような問題に鑑みて成されたものであり、その目的とするところは製造時の用紙の無駄が無く、テーブル台とテーブルを確実に固定できる組立式フロアディスプレイ、及び該組立式フロアディスプレイを形成するためのブランクシートを提供することである。
【課題を解決するための手段】
【０００６】
上記課題を解決するために成された本発明の組立式フロアディスプレイは、筒状のテーブル台の上に商品等を乗せるためのテーブルを載置してなる組立式フロアディスプレイにおいて、
テーブルの底面に切り込みを設けることにより形成される一対のフラップと、該一対のフラップの所定の箇所に切り込みを設けることにより形成される係止片と、テーブル台の対向する側面の所定箇所に切り込みを設けることにより形成される一対の舌片と、を有し、該フラップを下方に折曲してテーブル台の上部開口に内嵌し、該舌片をテーブル台の内部に折り込んで前記係止片に嵌合させることによってテーブルとテーブル台を固定することを特徴とする。
【発明の効果】
【０００７】
テーブル台に設けられた舌片を、テーブル底面のフラップに設けられた係止片に嵌合させることにより、テーブルとテーブル台を確実に固定できるようになる。更に、上記舌片、フラップ及び係止片は、テーブル台やテーブルの一部に切り込みを設けることにより形成されるため、製造時の用紙の無駄を抑えることができる。
【実施例】
【０００８】
以下、図面を用いて本発明に係る組立式フロアディスプレイの実施例について説明する。図１は本実施例の組立式フロアディスプレイの完成状態の斜視図であり、図２はその各部を形成するブランクシートの平面図、図３はフロアディスプレイの組み立て工程を示す斜視図、図４は舌片と係止片の嵌合部分をテーブル台の内部からみた状態を示す拡大図である。なお以下の説明では、本実施例の組立式フロアディスプレイを組み立て、図１のＸの方角から見た場合を基準として前後、上下、左右を定義する。
【０００９】
本実施例の組立式フロアディスプレイは、上下に開口部を有する角筒状のテーブル台１０と、スリット２２の入った２枚の板２１を十字に交差させてなり、テーブル台１０に収納される補強材２０と、テーブル台１０に載置されるテーブル３０と、テーブル３０の底面に敷かれるテーブルシート４０とで構成される。
【００１０】
各パーツは図２のような例えば段ボール製のブランクシートを組み立てることによって形成される。テーブル台１０は図２のような２枚のブランクシートからなり、左右側面の上部にはコの字型の切り込み線１１により舌片１２が形成され、折り曲げ線１３によりテーブル台１０の内部に折り込むことができるようになっている。テーブル３０の底面にはコの字型の切り込み線３１を左右２箇所に設けることによって一対のフラップ３２が形成されており、折り曲げ線３３から下方に折り曲げることができるようになっている。更に該フラップ３２には切り込み線３４により、切欠部３５を有する係止片３６が設けられている。組立の際にはテーブル３０のフラップ３２を下方に折り曲げてテーブル台１０の上部開口に差し込み、その後、テーブル台１０の舌片１２をテーブル台１０の内部に折り込むことにより、舌片１２を上記フラップ３２に設けられた係止片３６に嵌合させる。従って、舌片１２と係止片３６は、フロアディスプレイを組み立てた際に、互いに対応する位置に設けられる。
【００１１】
上記のように、テーブル３０とテーブル台１０を固定するためのフラップ３２、係止片３６及び舌片１２を、テーブル３０とテーブル台１０の一部に切り込み線を設けることによって形成することにより、従来のようにテーブル台の上辺にツメを設ける場合よりも、用紙の無駄を抑える事ができる。
【００１２】
以下、図３を参照して本実施例の組立式フロアディスプレイの組み立て工程を説明する。まず、角筒状に組み上げたテーブル台１０の内部に十字状に組み合わせた補強材２０を収納する。次にテーブル３０を組み立て、テーブル３０底面のフラップ３２を下方に折り曲げ、該フラップ３２をテーブル台１０の内部に挿通しながらテーブル３０をテーブル台１０の上部に載置する。その後、舌片１２をテーブル台１０の内部に押し込むことによりフラップ３２に設けられた係止片３６に嵌合させ、テーブル３０とテーブル台１０とを固定する。最後にテーブル３０の底面にテーブルシート４０を敷き、テーブル３０の底面を平らにする。
【００１３】
図４(a)に示すように、舌片１２はテーブル台１０の内部に押し込まれる際、その端縁部１４でフラップ３２に設けられた係止片３６に当接し、該係止片３６をテーブル台１０の内部に向かって押し込んで行く。なお、フラップ３２はテーブル台内部の補強材に当接しているため、押し込まれることはない。舌片１２が更に内部に押し込まれ、その端縁部１４が係止片３６から離れると係止片３６は図４(b)のように元の位置に戻る。このとき、係止片３６の先端部３７により、舌片１２がロックされるため、テーブル３０とテーブル台１０が確実に固定され、テーブル３０に手を掛けて持ち上げてもテーブル３０からテーブル台１０が外れることが無い。  
【００１４】
また、舌片１２を折り込むことによりテーブル台１０の側面には、図１のように、把手孔１４が形成され、更に、係止片３６には把手孔１４に相当する位置に切欠部３５が設けられているため、該把手孔１４からテーブル台１０の内部に手を差し入れて、フロアディスプレイを持ち上げることができる。更に把手孔の上辺は舌片１２の折り曲げ線１３に相当するため、把手孔１４に手を掛けた際に紙の断面が手に当たらず、テーブルに重い商品等をのせて運ぶ場合でも手が痛くなるのを防ぐことができる。
【００１５】
以上、実施例を用いて本発明の組立式フロアディスプレイ及び、その各部を形成するためのブランクシートの説明を行ったが、上記実施例は本発明を制限するものではなく、本発明は、請求の範囲に記載された技術的範囲内で、種々の変更が許容されるものである。
【図面の簡単な説明】
【００１６】
【図１】本発明に係る組立式フロアディスプレイの完成状態を示す斜視図
【図２】本発明に係る組立式フロアディスプレイの各部を形成するブランクシートの平面図
【図３】本発明に係る組立式フロアディスプレイの組み立て工程を示す斜視図
【図４】本発明に係る組立式フロアディスプレイの舌片と係止片の嵌合部分をテーブル台内部から見た状態を示す拡大図
【図５】従来の組立式フロアディスプレイを示す斜視図
【符号の説明】
【００１７】
１０…テーブル台
１２…舌片
２０…補強材
３０…テーブル
３２…フラップ
３６…係止片
４０…テーブルシート
【図１】
2005066008.tif 000003
【図２】
2005066008.tif 000004
【図３】
2005066008.tif 000005
【図４】
2005066008.tif 000006
【図５】
2005066008.tif 000007